【手続補正書】
【提出日】平成17年6月29日(2005.6.29)
【手続補正１】
【補正対象書類名】特許請求の範囲
【補正対象項目名】全文
【補正方法】変更
【補正の内容】
【特許請求の範囲】
【請求項１】
複数のスペクトル拡散データ・チャネルのうちの少なくとも１つのチャネルを放送チャネルとして専用化するステップと、
前記少なくとも１つの専用チャネルの搬送波信号およびチップ・レート・クロックの周波数および位相を、複数の基地局の複数のセル送信機のそれぞれについて同期させるステップと、
前記少なくとも１つの専用チャネルを介して各基地局から情報を放送するステップと、を含む方法。
【請求項２】
前記情報が、前記複数のセル送信機全てにわたって同じパワー・レベルで前記専用チャネルで放送される、請求項１に記載の方法。
【請求項３】
移動局で複数の放送信号を受信するステップと、
前記複数の放送信号を相関させ、合計して、復号信号にする相関および合計ステップと、
前記復号放送信号を処理してヒューマン・インタフェースに適したフォーマットにするステップとを更に含む、請求項１に記載の方法。
【請求項４】
前記複数の放送信号が、前記複数の基地局のうちの少なくとも２つからの情報を含む、請求項３に記載の方法。
【請求項５】
前記受信するステップが、隣接する基地局からの放送信号を受信するステップを更に含む、請求項３に記載の方法。
【請求項６】
前記相関および合計ステップが、隣接する基地局からの放送信号を受信するステップを更に含む、請求項３に記載の方法。
【請求項７】
前記専用放送チャネルを介して複数の音声およびビデオ・チャネルを供給するステップを更に含む、請求項１に記載の方法。
【請求項８】
前記複数の音声およびビデオ・チャネルを供給するステップが、
前記チャネルを多重化して単一のパケット化ストリームにするステップと、
前記パケット化ストリームを各基地局に送信するステップとを更に含む、請求項７に記載の方法。
【請求項９】
前記複数のスペクトル拡散データ・チャネルのうちの非放送専用チャネルを介して、サービス・プロバイダが対話型サービスを供給するステップを更に含む、請求項１に記載の方法。
【請求項１０】
別個のアップリンク・チャネルを介して、前記対話型サービスをユーザが受けることができるようにするステップを更に含む、請求項９に記載の方法。
【請求項１１】
無線情報を供給する通信システムにおいて、前記情報を放送するための少なくとも１つのプログラムを実行するときに専用制御装置として動作する汎用コンピュータ・システム内のコンピュータ読取り可能な媒体であって、
複数のスペクトル拡散データ・チャネルのうちの少なくとも１つのチャネルを放送チャネルとして専用化するステップと、
前記少なくとも１つの専用チャネルの搬送波信号およびチップ・レート・クロックの周波数および位相を、複数の基地局の複数のセル送信機のそれぞれについて同期させるステップと、
前記少なくとも１つの専用チャネルを介して各基地局から情報を放送するステップと、を含むコンピュータ読取り可能な媒体。
【請求項１２】
前記情報が、前記複数のセル送信機全てにわたって同じパワー・レベルで前記専用チャネルで放送される、請求項１１に記載のコンピュータ読取り可能な媒体。
【請求項１３】
移動局で複数の放送信号を受信するステップと、
前記複数の放送信号を相関させ、合計して、復号信号にする相関および合計ステップと、
前記復号放送信号を処理してヒューマン・インタフェースに適したフォーマットにするステップとを更に含む、請求項１１に記載のコンピュータ読取り可能な媒体。
【請求項１４】
前記複数の放送信号が、前記複数の基地局のうちの少なくとも２つからの情報を含む、請求項１３に記載のコンピュータ読取り可能な媒体。
【請求項１５】
前記受信するステップが、隣接する基地局からの放送信号を受信するステップを更に含む、請求項１３に記載のコンピュータ読取り可能な媒体。
【請求項１６】
前記相関および合計ステップが、隣接する基地局からの放送信号を受信するステップを更に含む、請求項１３に記載のコンピュータ読取り可能な媒体。
【請求項１７】
前記専用放送チャネルを介して複数の音声およびビデオ・チャネルを供給するステップを更に含む、請求項１１に記載のコンピュータ読取り可能な媒体。
【請求項１８】
前記複数の音声およびビデオ・チャネルを供給するステップが、
前記チャネルを多重化して単一のパケット化ストリームにするステップと、
前記パケット化ストリームを各基地局に送信するステップとを更に含む、請求項１７に記載のコンピュータ読取り可能な媒体。
【請求項１９】
前記複数のスペクトル拡散データ・チャネルのうちの非放送専用チャネルを介して、サービス・プロバイダが対話型サービスを供給するステップを更に含む、請求項１１に記載のコンピュータ読取り可能な媒体。
【請求項２０】
別個のアップリンク・チャネルを介して、前記対話型サービスをユーザが受けることができるようにするステップを更に含む、請求項１９に記載のコンピュータ読取り可能な媒体。
【手続補正２】
【補正対象書類名】明細書
【補正対象項目名】発明の名称
【補正方法】変更
【補正の内容】
【発明の名称】セルラーシステムにおいて情報を供給する方法並びに媒体
【手続補正３】
【補正対象書類名】明細書
【補正対象項目名】０００９
【補正方法】変更
【補正の内容】
【０００９】
（発明の概要）
本発明は、複数の無線移動体通信装置に情報を供給する方法である。この方法は、複数のスペクトル拡散データ・チャネルのうちの少なくとも１つのチャネルを放送チャネルとして専用化することを含んでいる。この少なくとも１つのチャネルの搬送波信号およびチップ・レート・クロックの周波数および位相を、複数の基地局の複数のセル送信機のそれぞれについて同期させる。その後、当該少なくとも１つの専用チャネルを介して各基地局からマルチメディア情報を放送する。
請求の範囲と実施例との対応関係を図面で使われている参照符号で示すと次の通りである。
（請求項１）
複数のスペクトル拡散データ・チャネル（３０６）のうちの少なくとも１つのチャネル（３０６１）を放送チャネルとして専用化するステップと、
前記少なくとも１つの専用チャネルの搬送波信号およびチップ・レート・クロック（２０６）の周波数および位相を、複数の基地局（１３４）の複数のセル送信機（２０４）のそれぞれについて同期させるステップと、
前記少なくとも１つの専用チャネルを介して各基地局から情報を放送するステップと、を含む方法。
（請求項２）
前記情報が、前記複数のセル送信機全てにわたって同じパワー・レベルで前記専用チャネルで放送される、請求項１に記載の方法。
（請求項３）
移動局（１５０）で複数の放送信号を受信するステップと、
前記複数の放送信号を相関させ、合計して、復号信号にする相関および合計ステップと、
前記復号放送信号を処理してヒューマン・インタフェースに適したフォーマットにするステップとを更に含む、請求項１に記載の方法。
（請求項４）
前記複数の放送信号が、前記複数の基地局のうちの少なくとも２つからの情報を含む、請求項３に記載の方法。
（請求項５）
前記受信するステップが、隣接する基地局からの放送信号を受信するステップを更に含む、請求項３に記載の方法。
（請求項６）
前記相関および合計ステップが、隣接する基地局からの放送信号を受信するステップを更に含む、請求項３に記載の方法。
（請求項７）
前記専用放送チャネルを介して複数の音声およびビデオ・チャネルを供給するステップを更に含む、請求項１に記載の方法。
（請求項８）
前記複数の音声およびビデオ・チャネルを供給するステップが、
前記チャネルを多重化して単一のパケット化ストリームにするステップと、
前記パケット化ストリームを各基地局に送信するステップとを更に含む、請求項７に記載の方法。
（請求項９）
前記複数のスペクトル拡散データ・チャネルのうちの非放送専用チャネルを介して、サービス・プロバイダが対話型サービスを供給するステップを更に含む、請求項１に記載の方法。
（請求項１０）
別個のアップリンク・チャネル（３０６３）を介して、前記対話型サービスをユーザが受けることができるようにするステップを更に含む、請求項９に記載の方法。
（請求項１１）
無線情報を供給する通信システムにおいて、前記情報を放送するための少なくとも１つのプログラムを実行するときに専用制御装置として動作する汎用コンピュータ・システム内のコンピュータ読取り可能な媒体であって、
複数のスペクトル拡散データ・チャネル（３０６）のうちの少なくとも１つのチャネル（３０６１）を放送チャネルとして専用化するステップと、
前記少なくとも１つの専用チャネルの搬送波信号およびチップ・レート・クロック（２０６）の周波数および位相を、複数の基地局（１３４）の複数のセル送信機（２０４）のそれぞれについて同期させるステップと、
前記少なくとも１つの専用チャネルを介して各基地局から情報を放送するステップと、を含むコンピュータ読取り可能な媒体。
（請求項１２）
前記情報が、前記複数のセル送信機全てにわたって同じパワー・レベルで前記専用チャネルで放送される、請求項１１に記載のコンピュータ読取り可能な媒体。
（請求項１３）
移動局（１５０）で複数の放送信号を受信するステップと、
前記複数の放送信号を相関させ、合計して、復号信号にする相関および合計ステップと、
前記復号放送信号を処理してヒューマン・インタフェースに適したフォーマットにするステップとを更に含む、請求項１１に記載のコンピュータ読取り可能な媒体。
（請求項１４）
前記複数の放送信号が、前記複数の基地局のうちの少なくとも２つからの情報を含む、請求項１３に記載のコンピュータ読取り可能な媒体。
（請求項１５）
前記受信するステップが、隣接する基地局からの放送信号を受信するステップを更に含む、請求項１３に記載のコンピュータ読取り可能な媒体。
（請求項１６）
前記相関および合計ステップが、隣接する基地局からの放送信号を受信するステップを更に含む、請求項１３に記載のコンピュータ読取り可能な媒体。
（請求項１７）
前記専用放送チャネルを介して複数の音声およびビデオ・チャネルを供給するステップを更に含む、請求項１１に記載のコンピュータ読取り可能な媒体。
（請求項１８）
前記複数の音声およびビデオ・チャネルを供給するステップが、
前記チャネルを多重化して単一のパケット化ストリームにするステップと、
前記パケット化ストリームを各基地局に送信するステップとを更に含む、請求項１７に記載のコンピュータ読取り可能な媒体。
（請求項１９）
前記複数のスペクトル拡散データ・チャネルのうちの非放送専用チャネルを介して、サービス・プロバイダが対話型サービスを供給するステップを更に含む、請求項１１に記載のコンピュータ読取り可能な媒体。
（請求項２０）
別個のアップリンク・チャネル（３０６３）を介して、前記対話型サービスをユーザが受けることができるようにするステップを更に含む、請求項１９に記載のコンピュータ読取り可能な媒体。
【手続補正４】
【補正対象書類名】図面
【補正対象項目名】図３
【補正方法】変更
【補正の内容】
【図３】
2005522060.tif 000001